(57)【要約】  同じ国の異なる地域や異なる国などからの複数の放送（１００、１１０、１２０）を受信するデジタルテレビジョンレシーバ（２００）にチャンネル番号が提供される。自国放送のチャンネル番号はその放送中の論理チャンネル番号（ＬＣＮ）データに基づき割り当てられる。他国の放送のチャンネル番号は、自国放送のチャンネル番号よりも高い範囲になるように提供される。異なる地域放送の場合、例えば、品質／ビットエラーレート、信号強度、及び／または周波数に基づき、最も強いサービスを有する放送のチャンネル番号が、より低い強度の放送のチャンネル番号よりも前に配置される。
2007502048.tif 000002
【特許請求の範囲】
【請求項１】
チャンネル番号を提供する方法であって、
少なくとも１つの国内デジタルデータ放送と少なくとも１つの外国デジタルデータ放送を受信するステップであって、前記少なくとも１つの国内デジタルデータ放送と前記少なくとも１つの外国デジタルデータ放送はその番組のチャンネルの論理チャンネル番号データを含むステップと、
前記少なくとも１つの国内デジタルデータ放送中の番組の前記チャンネルに前記論理チャンネル番号データによりチャンネル番号を割り当てるステップと、
前記少なくとも１つの外国デジタルデータ放送中の番組の前記チャンネルに前記少なくとも１つの国内デジタルデータ放送中の番組の前記チャンネルの前記チャンネル番号よりも高い範囲にあるチャンネル番号を割り当てるステップと、
を有することを特徴とする方法。
【請求項２】
請求項１に記載の方法であって、
前記少なくとも１つの国内デジタルデータ放送を受信するステップは、異なるトランスミッタからの同一のデジタルデータサービスの複数の国内デジタルデータ放送を受信するステップを有し、前記複数の国内デジタルデータ放送はその番組のチャンネルの論理チャンネル番号データを含み、
前記少なくとも１つの国内デジタルデータ放送中の番組の前記チャンネルにチャンネル番号を割り当てるステップは、前記複数の国内デジタルデータ放送のうち、前記複数の国内デジタルデータ放送のうち最も強いサービスを有する１つの放送に含まれる前記論理チャンネル番号データによりチャンネル番号をその番組の前記チャンネルに割り当てるステップと、
を有することを特徴とする方法。
【請求項３】
請求項２に記載の方法であって、
前記複数の国内デジタルデータ放送の前記１つの放送は、その品質のみが前記複数の国内デジタルデータ放送のうち最高であるときに、前記最も強いサービスを有し、
前記複数の国内デジタルデータ放送の前記１つの放送は、その信号強度のみが前記複数の国内デジタルデータ放送のうち同じ最高品質を有する最高のものであるときに、前記最も強いサービスを有することを特徴とする方法。
【請求項４】
請求項２に記載の方法であって、
前記複数の国内デジタルデータ放送の前記１つの放送は、その周波数が前記複数の国内デジタルデータ放送のうち同じ最高品質と同じ最高信号強度を有する少なくとも２つの放送のうち最高のものであるときに、前記最も強いサービスを有することを特徴とする方法。
【請求項５】
請求項２に記載の方法であって、
前記国内デジタルデータ放送のうち最も強いサービスを有する前記１つの放送以外の前記複数の国内デジタルデータ放送中の番組のチャンネルのチャンネル番号は、少なくとも１つのグループにグループ分けされ、前記国内デジタルデータ放送のうち最も強いサービスを有する前記１つの放送中の番組のチャンネル番号よりも高い範囲にあることを特徴とする方法。
【請求項６】
請求項２に記載の方法であって、
前記国内デジタルデータ放送のうち最も強いサービスを有する前記１つの放送以外の、前記複数の国内デジタルデータ放送のうちの番組のチャンネルのチャンネル番号は、サービスの強さが減る順序で複数のグループにグループ分けされていることを特徴とする方法。
【請求項７】
請求項２に記載の方法であって、
前記国内デジタルデータ放送のうち最も強いサービスを有する前記１つの放送以外の、前記複数の国内デジタルデータ放送のうちの番組のチャンネルのチャンネル番号は、ソートされた順序により割り当てられることを特徴とする方法。
【請求項８】
請求項２に記載の方法であって、
前記国内デジタルデータ放送のうち最も強いサービスを有する前記１つの放送以外の、前記複数の国内デジタルデータ放送のうちの番組のチャンネルのチャンネル番号は、前記少なくとも１つの外国デジタル放送中の番組のチャンネルのチャンネル番号よりも前にあることを特徴とする方法。
【請求項９】
請求項１に記載の方法であって、
少なくとも１つの外国デジタルデータ放送を受信するステップは、それぞれその番組のチャンネルに論理チャンネル番号データを含む複数の外国デジタルデータ放送を受信するステップを有し、
前記少なくとも１つの外国デジタルデータ放送中の番組のチャンネルにチャンネル番号を割り当てるステップは、前記複数の外国デジタルデータ放送中の放送のチャンネルにチャンネル番号を割り当てるステップを有し、
前記複数の外国デジタルデータ放送中の番組のチャンネルの前記チャンネル番号は、それぞれのグループにグループ化され、前記少なくとも１つの国内デジタルデータ放送中の番組の前記チャンネルのチャンネル番号より高い範囲にあることを特徴とする方法。
【請求項１０】
請求項１に記載の方法であって、
前記少なくとも１つの外国デジタルデータ放送中番組のチャンネルのチャンネル番号は、ソートされた順序により割り当てられることを特徴とする方法。
【請求項１１】
請求項１に記載の方法であって、
前記少なくとも１つの国内デジタルデータ放送と少なくとも１つの外国デジタルデータ放送は、オーディオデータとビデオデータのうち少なくとも１つを有することを特徴とする方法。
【請求項１２】
請求項１に記載の方法であって、
前記少なくとも１つの国内デジタルデータ放送と少なくとも１つの外国デジタルデータ放送は、ブロードキャストコンテンツ、マルチキャストコンテンツ、及びストリーミングコンテンツのうち少なくとも１つで供給されることを特徴とする方法。
【請求項１３】
論理チャンネル番号を提供する方法であって、
異なる領域コンテントを有するデジタルデータサービスの複数の国内デジタルデータ放送を受信するステップであって、
前記複数の国内デジタルデータ放送はその番組のチャンネルの論理チャンネル番号データを含むステップと、
前記複数の国内デジタルデータ放送のうち最も強いサービスを有する１つの放送を決定するステップと、
前記複数の国内デジタルデータ放送のうち最も強いサービスを有する前記１つの放送に前記論理チャンネル番号データによりチャンネル番号を割り当てるステップと、
複数の国内デジタルデータ放送のうち最も強いサービスを有する前記１つの放送以外の前記複数の国内デジタルデータ放送中の番組のチャンネルに、少なくとも１つのグループにグループ分けされ、前記国内デジタルデータ放送のうち最も強いサービスを有する前記１つの放送中の番組のチャンネルを識別するために前記チャンネル番号よりも高い範囲にあるチャンネル番号を割り当てるステップと、
を有することを特徴とする方法。
【請求項１４】
請求項１３に記載の方法であって、
前記国内デジタルデータ放送のうち最も強いサービスを有する前記１つの放送以外の、前記複数の国内デジタルデータ放送のうちの番組のチャンネルのチャンネル番号は、ソートされた順序により割り当てられることを特徴とする方法。
【請求項１５】
請求項１３に記載の方法であって、
前記国内デジタルデータ放送のうち最も強いサービスを有する前記１つの放送以外の、前記複数の国内デジタルデータ放送のうちの番組のチャンネルのチャンネル番号は、サービスの強さが減る順序で複数のグループにグループ分けされていることを特徴とする方法。
【請求項１６】
請求項１３に記載の方法であって、
前記国内デジタルデータ放送の前記１つの放送は、その品質のみが前記複数の国内デジタルデータ放送のうち最高であるときに、前記最も強いサービスを有し、
前記複数の国内デジタルデータ放送の前記１つの放送は、その信号強度のみが前記複数の国内デジタルデータ放送のうち同じ最高品質を有する最高のものであるときに、前記最も強いサービスを有することを特徴とする方法。
【請求項１７】
請求項１３に記載の方法であって、
前記複数の国内デジタルデータ放送の前記１つの放送は、その周波数が前記複数の国内デジタルデータ放送のうち同じ最高品質と同じ最高信号強度を有する少なくとも２つの放送のうち最高のものであるときに、前記最も強いサービスを有することを特徴とする方法。
【請求項１８】
チャンネル番号を提供する方法を実行する、機械により実行可能な命令のプログラムを化体したプログラム記憶装置であって、
前記方法は、
少なくとも１つの国内デジタルデータ放送と少なくとも１つの外国デジタルデータ放送を受信するステップであって、
前記少なくとも１つの国内デジタルデータ放送と前記少なくとも１つの外国デジタルデータ放送はその番組のチャンネルの論理チャンネル番号データを含むステップと、
前記少なくとも１つの国内デジタルデータ放送中の番組の前記チャンネルに前記論理チャンネル番号データによりチャンネル番号を割り当てるステップと、
前記少なくとも１つの外国デジタルデータ放送中の番組の前記チャンネルに前記少なくとも１つの国内デジタルデータ放送中の番組の前記チャンネルの前記チャンネル番号よりも高い範囲にあるチャンネル番号を割り当てるステップと、
を有することを特徴とするプログラム記憶装置。
【請求項１９】
チャンネル番号を提供する方法を実行する、機械により実行可能な命令のプログラムを化体したプログラム記憶装置であって、
前記方法は、
異なる領域コンテントを有するデジタルデータサービスの複数の国内デジタルデータ放送を受信するステップであって、
前記複数の国内デジタルデータ放送はその番組のチャンネルの論理チャンネル番号データを含むステップと、
前記複数の国内デジタルデータ放送のうち最も強いサービスを有する１つの放送を決定するステップと、
前記複数の国内デジタルデータ放送のうち最も強いサービスを有する前記１つの放送に前記論理チャンネル番号データによりチャンネル番号を割り当てるステップと、
複数の国内デジタルデータ放送のうち最も強いサービスを有する前記１つの放送以外の前記複数の国内デジタルデータ放送中の番組のチャンネルに、少なくとも１つのグループにグループ分けされ、前記国内デジタルデータ放送のうち最も強いサービスを有する前記１つの放送中の番組のチャンネルを識別するために前記チャンネル番号よりも高い範囲にあるチャンネル番号を割り当てるステップと、
を有することを特徴とするプログラム記憶装置。
【請求項２０】
チャンネル番号を提供するレシーバであって、
少なくとも１つの国内デジタルデータ放送と少なくとも１つの外国デジタルデータ放送を受信する手段であって、
前記少なくとも１つの国内デジタルデータ放送と前記少なくとも１つの外国デジタルデータ放送はその番組のチャンネルの論理チャンネル番号データを含む手段と、
前記少なくとも１つの国内デジタルデータ放送中の番組の前記チャンネルに前記論理チャンネル番号データによりチャンネル番号を割り当てる手段と、
前記少なくとも１つの外国デジタルデータ放送中の番組の前記チャンネルに前記少なくとも１つの国内デジタルデータ放送中の番組の前記チャンネルの前記チャンネル番号よりも高い範囲にあるチャンネル番号を割り当てる手段と、
を有することを特徴とするレシーバ。
【発明の詳細な説明】
【発明の詳細な説明】
【０００１】
本発明は、デジタルテレビジョン通信に関し、特に、チャンネル番号の組織化方法に関する。
【０００２】
デジタルテレビジョン通信は、オーディオ信号とビデオ信号の質の高さと提供できるいろいろな機能により、ますます普及しつつある。例えば、デジタルビデオ放送（ＤＶＢ）コンソーシアムにより規定された標準が世界の各地で使われている。中でも、この標準には、衛星放送標準（ＤＶＢ−Ｓ）、ケーブル配信標準（ＤＶＢ−Ｃ）、地上波放送標準（ＤＶＢ−Ｔ）を含む一連の放送仕様が含まれている。ＤＶＢ−Ｔは、ＣＯＦＤＭ（符号直交周波数分割多重）とＱＰＳＫ、及び１６ＱＡＭ変調と６４ＱＡＭ変調に基づく高度かつ柔軟なデジタル地上波放送システムである。ＤＶＢ−Ｔにより、サービスプロバイダーは、わずかなパワーでアナログ放送をマッチ、さらには向上させることができる。さらにまた、ＤＶＢ−Ｔは、デジタル地上波テレビジョンの範囲を携帯ハンドヘルドデバイス等の移動領域にまで拡大する。
【０００３】
デジタルテレビジョン放送は、放送中の番組のチャンネルごとに論理チャンネル番号（ＬＣＮ）データを含んでいる。番組はＬＣＮデータに基づきチャンネル番号にマップされ、ユーザは所望の番組をテレビジョンまたはその他の受信装置で見つけることができる。例えば、ＤＶＢ−Ｔレシーバの場合、ＬＣＮが自動プリセット割り当てを容易にするように構成されている。割り当てられたプリセットを処理する方法は全ての主要な標準管で異なる。さらにまた、レシーバが、ＬＣＮデータが衝突する複数の放送を受信できるという問題もある。例えば、欧州の場合、（少なくとも国境地域においては）異なる国、または１つの国の異なる地域からのＤＶＢ−Ｔ放送を受信できてしまうという問題がある。放送が異なればＬＣＮが衝突することがある。また、ＬＣＮが関連づけられていない放送もある。
【０００４】
従って、上記その他の問題を解決する、チャンネル番号を提供し組織化する方法と装置を提供することが望まれている。エンドユーザにとって最も利益になるソーティングアルゴリズムを考案した。ソーティングアルゴリズムは、論理的順番でサービスの便利なリストを提供する。
【０００５】
すなわち、ユーザが設定等をしてレシーバがある国の放送にはＬＣＮデータに基づきチャンネル番号が与えられる。２重のサービスがある場合、最も強いサービスのみが記憶される。地域的な内容を有する２重のサービスがある場合には、両方が記憶されるが、弱いサービスは高いチャンネル番号の範囲に記憶される。他の国からのサービスは終わりに入れられ、元のネットワークＩＤに基づき、アルファベット順にソートされ、国ごとにグループ分けされている。こうして、サービスのリストが利用できるようになる。ＬＣＮデータに基づいてプリセットその他のチャンネル番号が割り当てられたサービスと、ＬＣＮデータにもと付かないでプリセットその他のチャンネル番号が割り当てられたサービスの間にはリスト上でギャップがある場合がある。
【０００６】
例えば、最も強いサービスは、ＢＥＲＱ（ビットエラーレート品質）で測定して最も高い品質のサービスである。２つ以上の放送が同じ最高品質を有する場合、同点決勝ということで信号強度等の他の要因を調べ、同じ最高品質の放送のうち信号強度が高い放送を選択する。２つ以上の放送が同じ最高品質と同じ最高信号強度を有する場合、同点決勝として送信周波数等の他の要因を調べ、同じ最高品質と最高強度を有する放送のうち周波数が高い放送を選択してそのオリジナルＬＣＮを使用する。
【０００７】
本発明の一態様において、チャンネル番号を提供する方法は、以下のステップを含む。少なくとも１つの国内デジタルデータ放送と少なくとも１つの外国デジタルデータ放送を受信するステップであって、前記少なくとも１つの国内デジタルデータ放送と前記少なくとも１つの外国デジタルデータ放送はその番組のチャンネルの論理チャンネル番号データを含むステップと、前記少なくとも１つの国内デジタルデータ放送中の番組の前記チャンネルに前記論理チャンネル番号データによりチャンネル番号を割り当てるステップと、及び、前記少なくとも１つの外国デジタルデータ放送中の番組の前記チャンネルに前記少なくとも１つの国内デジタルデータ放送中の番組の前記チャンネルの前記チャンネル番号よりも高い範囲にあるチャンネル番号を割り当てるステップ。
【０００８】
本発明のさらに別の一態様において、チャンネル番号を提供する方法は、以下のステップを含む。異なる領域コンテントを有するデジタルデータサービスの複数の国内デジタルデータ放送を受信するステップであって、前記複数の国内デジタルデータ放送はその番組のチャンネルの論理チャンネル番号データを含むステップと、前記複数の国内デジタルデータ放送のうち最も強いサービスを有する１つの放送を決定するステップと、前記複数の国内デジタルデータ放送のうち最も強いサービスを有する前記１つの放送に前記論理チャンネル番号データによりチャンネル番号を割り当てるステップと、及び、複数の国内デジタルデータ放送のうち最も強いサービスを有する前記１つの放送以外の前記複数の国内デジタルデータ放送中の番組のチャンネルに、少なくとも１つのグループにグループ分けされ、前記国内デジタルデータ放送のうち最も強いサービスを有する前記１つの放送中の番組のチャンネルを識別するために前記チャンネル番号よりも高い範囲にあるチャンネル番号を割り当てるステップ。
【０００９】
関係するレシーバと番組記憶装置も提供する。
【００１０】
全ての図面において、対応する部分は同じ参照数字により参照される。
【００１１】
図１は、トランスミッタ１００、１１０、及び１２０からレシーバ２００への複数のデジタルデータ放送の送信を示す図である。ブロック２００はレシーバであり、ブロック２１０はディスプレイである。放送は異なる国、地域、またはその他の管轄からのものである。３つの放送を一例として示した。例えば、第１の放送は、レシーバ２００が設置されている国に関連づけられた国内放送である。ユーザはレシーバに国及び／または地域設定を提供するが、この設定は必ずしもレシーバが実際に置かれている場所に対応する必要はないが、通常は対応する。第２と第３の放送は外国に関連づけられている。他に可能性のあるシナリオとして、上記の３つの放送は、同じ国の異なった領域と関連づけられている。さらにまた、異なる領域と異なる国からの放送を同じレシーバが受信してもよい。
【００１２】
レシーバ２００は、基本的に、好適なデータレシーバ（デジタルホームイクイップメントを含む）であればいかなるものでもよく、例えば、デジタルテレビ、インターラクティブデジタルＴＶ（ｉＤＴＶ）セットトップボックス（ＳＴＢ）、パーソナルビデオレコーダ（ＰＶＲ）、デジタルオーディオ、またはＤＶＤなどである。レシーバには、さらにＰＤＡや携帯電話等の移動レシーバも含まれる。本発明によると、チャンネル番号は論理チャンネル番号（ＬＣＮ）により放送の１つに割り当てられるが、一方、チャンネル番号範囲の終わりにあるような高いチャンネル番号範囲にあるプリセットまたはその他のチャンネル番号が残りの放送中の番組のチャンネルに割り当てられる。例えば、レシーバ２００がある国または領域と関連づけられた放送のプリセットまたはその他のチャンネル番号は、放送のＬＣＮに基づいて割り当てられるが、一方、プリセットまたはその他のチャンネル番号は放送のＬＣＮにかかわらず、他の国または地域の放送に割り当てられる。一般的に、ユーザは、チャンネル番号が効率的であるためには自分の国または領域で使用されるＬＣＮに基づくものであることを欲することが多い。ＤＶＢシステムにおいて、ＬＣＮは論理チャンネル番号という用語で表され、サービスを発注する放送事業者の好みを示す複数ビットフィールドである。しかし、本発明は、他のデジタルデータ放送方式で好適に使用することができる。
【００１３】
さらにまた、欧州・豪州と比較して米国におけるチャンネルの処理の仕方に違いがあることに留意せよ。米国においては、実際の放送チャンネル・周波数が放送局の名称であることも多いが、欧州はこの限りではない。換言すると、米国において、テレビは直接チャンネルに切り換えられるが、欧州においては、プリセットへのスイッチがある。例えば、米国では、チャンネルシックスは６チャンネルの周波数で放送されるが、欧州では、ＳＢＳ６はプリセット６で放送され、放送される周波数はなんでもよい（例えば、チャンネル２１の周波数でもよい）。いかなる場合にも、本発明はプログラミングの各チャンネルにチャンネル番号を提供する。
【００１４】
本発明の一態様において、受信されたサービスはすべて１つの順序でソートされる。最初に、レシーバがある国からの全ての放送（ユーザ設定に基づく）にそのＬＣＮデータに基づきプリセットその他のチャンネル番号を割り当てられる。２重のサービスがある場合、２つの状況が起こりうる：
１．同一であるが異なる放送事業者からの同じデジタルデータサービス。この場合、最も強いサービス飲みを記憶する。最も強いサービスは品質、例えば、ＢＥＲＱ、信号強度、及び／または周波数が最も高いものである。
【００１５】
２．地域的コンテンツを有する同じサービス（すなわち、地域的コンテンツを有するが、ほとんどの時間は同じコンテンツを放送しているサービス）。すなわち、放送局は特定の時間に地域的コンテンツを放送する。例えば、グローバルなニュース番組に続いて地域的（例えば、その都市の）ニュースを放送する。この場合、プリセットまたはその他のチャンネル番号が送信されたＬＣＮデータに基づき最も強いサービスに割り当てられ、他のサービスのプリセットまたはその他のチャンネル番号は番号が高い範囲に記憶される。どのサービスが最も強いかはいろいろな要因に基づいて決定することができる。例えば、最も強いサービスは、ＢＥＲＱ（ビットエラーレート品質）で測定して最も高い品質のサービスである。ＢＥＲＱの範囲は、例えば、１−２５５であり、数字が高いほど品質がよいことを表す。以下により詳しく説明する。上述の通り、２つ以上の放送が同じ最高品質を有する場合、信号強度、及びその後、放送周波数を同点決勝の要因として用いて、サービスのプリセットまたはその他のチャンネル番号を決定する。周波数が高いほど干渉の危険が減るので、周波数は高い方が好ましい。
【００１６】
他の国からのサービス（ＯＮ  Ｉｄ、すなわちオリジナルネットワーク識別情報に基づく）は終わりに入れられ、数字が大きいチャンネル番号に割り当てられ、国ごとにグループ分けされてアルファベット順にソートされる。ＬＣＮのない国内サービスは、（表１の）ＯＮ１その他、国内に示したように、他国からのサービスの前に、終わりに入れられる。その結果、下に示したサービスのリストができる。高い範囲のチャンネル番号を有するチャンネルは、コールサイン（例えば、ＡＢＣ、ＣＮＮ、ＭＴＶ、ＮＢＣ）等の各チャンネルに関連づけられたテキスト識別子に基づきアルファベット順にソートされる。アルファベット順のソーティングはただの一例である。いかなるソーティング方法を用いてもよい。例えば、外国のＬＣＮに基づいてソーティングしてもよく、その場合は、外国放送の順序通りに放送局が表れる。
【００１７】
表１において、ＯＮ１その他、ＯＮ２、ＯＮ３は、関連づけられたチャンネル番号の連続ブロックを形成し、そのチャンネル番号は利用可能な範囲の終わりから満たされる（この場合、チャンネル９９９からカウントバックする）。この場合、プリセット１．．．９９９が利用可能であると仮定した。そして、外国サービスの場合、９９９から始めて、逆戻りして、表１に示した順序となる。つまり、通常、ＬＣＮ番号により最も低いプリセットが割り当てられ、次にギャップがあり、その次にプリセットが割り当てられたその他の国内チャンネルが来て、より高いチャンネル範囲に外国チャンネルが続く。プリセットＯＮ１その他から始めて、プリセットをすべて使用する。
【００１８】
【表１】
2007502048.tif 000003
【００１９】
ＯＮ１は、選択された国のオリジナルネットワーク識別情報であり、ＯＮ２とＯＮ３は２つの異なる外国を表す。ほとんどの場合、プリセットチャンネル番号がＬＣＮデータに基づく放送局とそうでない放送局の間にはギャップがある。
【００２０】
複数地域の放送が受信される場合、最も強い放送にプリセットチャンネル番号が割り当てられ、より高い範囲のプリセットチャンネル番号がＬＣＮデータにかかわらず他の地域的放送のチャンネルに割り当てられる。外国放送のプリセットチャンネル番号が地域的放送のプリセットチャンネル番号に続いて、より高いチャンネル範囲に入れられる。上述のように、より高い範囲のプリセットチャンネル番号を有するチャンネルは、各チャンネルに関連づけられたテキスト識別子に基づきアルファベット順に、またはその他のソーティング方法に基づき、ソートされる。
【００２１】
以下に、レシーバにより使用されるソーティングメカニズムを説明する。
【００２２】
ソーティングは以下に基づいてなされる：
１．サービスのタイプ。表２を参照。この表は、製品ごとに変わるので、単なる一例である。例えば、英国市場におけるレシーバは、テレビとラジオの両方のプリセットリストにラジオサービスがリストされる。
２．強度。表３を参照。
３．オリジナルネットワーク識別情報（Ｉｄ）。国設定に基づき、この国のＯＮ  Ｉｄが最初にソートされる。
４．ＬＣＮ：可能であれば、サービスを要求されたＬＣＮにする。さもなければ、「その他」の放送局の場所になる。放送局がＬＣＮを有しない場合、「その他」の放送局の場所に移される。
５．その他：サービスを終わりから始まるリストに入れる。サービスは所望の方法を用いてソートされる。
【００２３】
【表２】
2007502048.tif 000004
【００２４】
一実施形態において、テレビとラジオのために２つのリストが提供される。「その他」のリストを後で追加することができる。ＦＲＳによると、テレビとラジオについてそれぞれ４つずつの好ましいリストがある。また、システム定義リストを追加することもできる。データ放送サービス（サービスタイプ０ｘ０Ｃ）も追加された。マルチメディア・ハイパーメディア情報符合化専門グループ（ＭＨＥＧ）のみを有するストリームがこのタイプを用いる
以下のものを除いて、見つかった全てのサービスがリストに残る：
（ａ）完全な重複。最も強いサービス（例えば、最も高いＢＥＲＱ）を有するサービスがリストに残り、その他は破棄される。
（ｂ）閾値レベルよしたのサービス強度（例えば、ＢＥＲＱ）を有するサービスは破棄される（表３の初期値を参照、）。
【００２５】
【表３】
2007502048.tif 000005
【００２６】
同じＬＣＮを有する地域サービスはリストに残る。１つのサービスだけが元のＬＣＮデータに基づいてプリセットチャンネル番号に割り当てられる。システムは、どのサービスが最も強いサービスを有するかに基づき、どのサービスを正しいプリセットチャンネル番号にするかを決定すべきである。最も強いサービスは、例えば、そのＬＣＮデータに基づいて、正しいプリセットチャンネル番号を割り当てられる。その他のサービスはリストの終わりに移動させられる（表１の「ＯＮ１、その他」を参照）。
【００２７】
サービスが高いプリセットチャンネル番号に割り当てられた場合、つまり、ＬＣＮに基づくブロックとＯＮその他のブロックの間にギャップがない場合、ＯＮその他セクションにソートされ、ＬＣＮは破棄される。図式的には、３つのＯＮ  Ｉｄがあり、ＯＮ１が自国のＯＮ  Ｉｄである場合、サービスリストは表１のシステム定義のプリセットリストのようになる。
【００２８】
リモートコントロールを通して、ユーザはまずＯＮ１サービスを見る。ＯＮ１サービスはできるだけ指定されたＬＣＮに沿ったものである。次に、他のＯＮのサービスが一緒にグループ化され、ＯＮごとにアルファベット順やその他の方法でソートされている。
【００２９】
放送信号強度の決定
以下に、ビットストリーム品質（例えば、ＢＥＲＱ）を推定する簡単な方法を示す。この情報は、レシーバのリードソロモンデコーダ入力におけるＢＥＲから得られる。ＢＥＲＱは、ＢＥＲの１０を底とする対数に３２をかけて符号をマイナスにしたものである。
【００３０】
BERQ=-32*LOG10(BER)
ＢＥＲＱの範囲は１．．．２５５である。ＢＥＲが10-8よりよい場合でも、ＢＥＲＱは２５５で飽和する。この情報が計算されない場合、その値は常にゼロである。通常、１から約８０−９０の値は完全に破損した信号に対応し、１１０−１２０までの値は部分的に破損した信号に対応し、１３０より高い値はエラーの無い信号に対応すると考えられる。表４は、ＢＥＲとＢＥＲＱ（tDEMOD_BERQ）の間の対応を示す。
【００３１】
【表４】
2007502048.tif 000006
【００３２】
図２は、本発明による、チャンネル番号を割り当てるレシーバの一例を示す図である。ブロック２０２はチューナとデコーダである。ブロック２０３は制御回路である。ブロック２１３はメモリである。ブロック２０４は「チャンネルデータ」メモリである。ブロック２０５は「国／地域設定」メモリである。ブロック２０７は出力回路である。ブロック２０６はユーザインターフェイスである。ブロック２１０はディスプレイである。
１つの可能性のあるアプローチとして、本発明は、テレビジョンセットトップボックスレシーバ（レシーバ２００等）の内のコンポーネントを用いて実施される。そのテレビジョンセットトップボックスレシーバは、入力パス２０１（アンテナ等）を介してテレビジョン信号を受信し、信号出力パス２０８を介してディスプレイ装置２１０（テレビジョン等）に表示用信号を出力する。しかし、本発明は、一般的に、ビデオ及び／またはオーディオ放送を受信する、またはオーディオまたはビデオを必要としないデータのみのサービスを受信する、いかなるタイプの装置にも適用可能である。例えば、例えばダウンロード、ストリーミング、またはブロードキャスティング（ウェブキャスティング等）してインターネット等のネットワークからビデオ番組を受信するコンピュータで本発明を実施してもよい。ビデオ番組は、必須のものではないが、オーディオトラックを含んでいるのが一般的である。さらにまた、インターネットを介して提供されるオーディオだけの番組（ウェブキャスト等）やラジオ放送（地上波ラジオ放送と衛星ラジオ放送を含む）を介して提供されるオーディオだけの番組で本発明を使用することもできる。
【００３３】
レシーバ２００は、チューナ／デコーダ２００において、受信した番組をデマルチプレックスして復号する。番組は、デジタル多重またはアナログ多重されており、例えば、ケーブル、衛星、または地上波による放送により送信される。一般的に、ハンドヘルドのリモコンを介してユーザ／視聴者により選択されたチャンネルに基づき、複数の番組中の１つが復号される。リモコンからのユーザ入力信号は、レシーバ２００のユーザインターフェイス機能２０６により処理される。リモコンは、赤外線、有線、超音波、ラジオ周波数など、いかなるタイプの通信パス２０９を用いるものでもよい。
【００３４】
復号された番組は、出力回路２０７を介してディスプレイデバイス２１０に送られ、または後で表示するためにローカルで記憶される。制御回路２０３は、例えばワーキングメモリ２１３を有するマイクロプロセッサであり、チューナ／デコーダ２０２とインターラクトしてそのチューナ／デコーダ２０２の機能を制御する。ワーキングメモリ２１３は、ここに説明する機能を達成するために制御回路２０３により実行されるソフトウェアを格納するプログラム記憶装置と考えられる。しかし、所望の機能を達成するためのソフトウェア等の命令を記憶及び処理する資源は、いかなる既知の方法を用いて提供されてもよい。
【００３５】
上述のように、プリセットまたはその他のチャンネル番号は、受信した放送で搬送されたＬＣＮデータに基づき、またはＬＣＮデータにかかわらず、割り当てられる。受信された放送は、ＬＣＮデータを含み、チューナ／デコーダ２０２により同調及び回復され、制御回路２０３に供給される。制御回路２０３は、オリジナルのＬＣＮデータを使用するかどうか決定する。オリジナルのＬＣＮデータは、チャンネルデータメモリ２０４に記憶される。チャンネル番号もチャンネルデータメモリ２０４に記憶されてもよい。受信した放送のうちの１つに対して、制御回路２０３は、放送のＬＣＮデータに基づきチャンネル番号を割り当てる。残りの放送に対して、制御回路２０３は、前述の通り、より高い範囲のチャンネル番号を割り当てる。国及び地域設定は、メモリ２０５に格納され、制御回路２０３により決定プロセスで使用される。メモリ２０４と２０５は、別々に示されているが、他のメモリ資源と結合していてもよい。
【００３６】
ユーザがユーザインターフェイス２０６を介してチャンネルを選択する場合、制御回路２０３は、例えば、メモリ２０４からチャンネルデータを読み出すことにより、対応する番組を決定する。マッチしたチャンネルと関連づけられたパケット識別子（ＰＩＤ）等の情報を用いて、受信した放送から関連づけられた番組データを読み出す。番組データは、例えば、記憶したり表示したりすることができる。
【００３７】
本発明の好ましい実施形態であると考えられるものを図示して説明したが、本発明の精神から逸脱することなく、形式上、または詳細にわたって、いろいろな修正や変更をすることができることは言うまでもない。それゆで、本発明は、説明及び例示した形式そのものに限定されず、添付した請求項の範囲に含まれる全ての修正もカバーするものと解釈すべきである。
【図面の簡単な説明】
【００３８】
【図１】複数のデジタルデータ放送のレシーバへの送信を示す図である。
【図２】本発明による、チャンネル番号を割り当てるレシーバの一例を示す図である。
【図１】
2007502048.tif 000007
【図２】
2007502048.tif 000008
【国際調査報告】
2007502048.tif 000009
2007502048.tif 000010
2007502048.tif 000011